【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
イメージング・デバイスの中に新生児を位置決めするためのカプセル・インキュベーターであって、
所定の長さ、所定の幅、および、前記新生児をその上に位置決めするための内側表面を有する底部部分と、
ｉ）側部部分であって、前記底部部分の第１の長手方向縁部に沿って、前記底部部分に連結されており、前記底部部分の周りに回転可能であり、第１の側部部分は、前記底部部分の前記長さに等しい長さを有している、側部部分、および、ｉｉ）上部部分を含む、第１のフラップと、
ｉ）側部部分であって、前記底部部分の第２の長手方向縁部に沿って、前記底部部分に連結されており、前記底部部分の周りに回転可能であり、第２の側部部分は、前記底部部分の前記長さに等しい長さを有している、側部部分、および、ｉｉ）上部部分を含む、第２のフラップと
を含み、
前記第１のフラップおよび前記第２のフラップが、第１の位置へ回転させられ、前記第１のフラップの前記上部部分および前記第２のフラップの前記上部部分が接続するようになっており、前記新生児のための実質的に閉じられたハウジングを形成し、また、前記第１のフラップおよび前記第２のフラップが、第２の位置へ回転させられ、前記新生児のための実質的に開いたハウジングを形成する、カプセル・インキュベーター。
【請求項２】
前記カプセル・インキュベーターの第１の端部と切り離し可能に嵌合する無線周波数（ＲＦ）シールドをさらに含み、前記ＲＦシールドは、第１のアパーチャーおよび第２のアパーチャーを有する導管を含み、前記導管は、少なくとも５対１の長さ対幅の比率を有している、請求項１に記載のカプセル・インキュベーター。
【請求項３】
前記カプセル・インキュベーターの第２の端部と嵌合する無線周波数（ＲＦ）コイル位置決めシステムをさらに含む、請求項１に記載のカプセル・インキュベーター。
【請求項４】
カプセルは、非磁性材料から作製されている、請求項１に記載のカプセル・インキュベーター。
【請求項５】
カートの第２の嵌合エレメントと嵌合する第１の嵌合エレメントをさらに含み、前記カートは、前記カプセル・インキュベーターに接続し、前記カプセル・インキュベーターを輸送する、請求項１に記載のカプセル・インキュベーター。
【請求項６】
前記第１のフラップは、バック部分をさらに含み、前記第２のフラップは、バック部分をさらに含み、前記第１のフラップおよび前記第２のフラップが前記第１の位置へ回転させられているときに、前記第１のフラップの前記バック部分、および、前記第２のフラップの前記バック部分が接続する、請求項１に記載のカプセル・インキュベーター。
【請求項７】
プラグをさらに含み、前記プラグは、前記カプセル・インキュベーターの第１の端部または前記カプセル・インキュベーターの第２の端部の中へ挿入可能であり、前記第１の端部または前記第２の端部をそれぞれ閉じる、請求項１に記載のカプセル・インキュベーター。
【請求項８】
前記カプセル・インキュベーターの中に位置決めされているライトをさらに含む、請求項１に記載のカプセル・インキュベーター。
【請求項９】
カプセル・インキュベーターであって、
新生児をその上に位置決めするための表面であって、人間の乳児を位置決めするのに十分な幅および長さを有している、表面と、
少なくとも１つの閉鎖構造体であって、閉位置にあるときに、前記人間の乳児のためのハウジングを生成し、また、開位置にあるときに、前記人間の乳児へのアクセスを生成する、少なくとも１つの閉鎖構造体と、
前記カプセル・インキュベーターをカートに連結するための少なくとも１つの連結構造体と、
第１のアパーチャーおよび第２のアパーチャーを有する導管を含む無線周波数（ＲＦ）シールディング構造体であって、前記導管は、少なくとも５対１の長さ対幅の比率を有している、無線周波数（ＲＦ）シールディング構造体と、
を含む、カプセル・インキュベーター。
【請求項１０】
前記第１のフラップおよび前記第２のフラップは、前記第１のフラップおよび前記第２のフラップが前記第２の位置にあるときに、前記底部部分と平面を形成する、請求項１に記載のカプセル・インキュベーター。
【請求項１１】
前記第１のフラップの側部部分および前記第２のフラップの側部部分は、前記第１のフラップおよび前記第２のフラップが前記第２の位置にあるときに、前記新生児が前記インキュベーターから出ることを防ぐ、請求項１０に記載のカプセル・インキュベーター。
【請求項１２】
磁気共鳴イメージング・デバイスであって、
開いているボアを有する磁石であって、前記ボアは第１の端部および第２の端部を有する、磁石と、
第１の無線周波数（ＲＦ）および磁気シールディング部材であって、前記ボアを開閉するように前記ボアの第１の端部に連結され、前記第１のＲＦおよび磁気シールディング部材が閉位置にあるときに、ＲＦ放射および磁界が前記ボアの第１の端部に出入りするのが防がれるようになっている、第１の無線周波数（ＲＦ）および磁気シールディング部材と、
第２の無線周波数（ＲＦ）および磁気シールディング部材であって、前記ボアの第２の端部に連結され、ＲＦ放射および磁界が前記ボアの第２の端部に出入りするのが防がれるようになっている、第２の無線周波数（ＲＦ）および磁気シールディング部材と、
を備え、
前記第１のＲＦおよび磁気シールディング部材は、２つの開口部および導管をさらに備え、前記導管は、少なくとも５対１の長さ対幅の比率を有し、前記第１のＲＦおよび磁気シールディング部材が閉位置にあるときに、ＲＦ放射および磁界が前記ボアに出入りするのを防ぐ、磁気共鳴イメージング・デバイス。
【請求項１３】
前記磁石は、超伝導体磁石である、請求項１２に記載の磁気共鳴イメージング・デバイス。
【請求項１４】
前記第１のＲＦおよび磁気シールディング部材は、前記ボアの第１の端部に取り外し可能に連結される、請求項１２に記載の磁気共鳴イメージング・デバイス。
【請求項１５】
前記第２のＲＦおよび磁気シールディング部材は、前記ボアの第２の端部に取り外し可能に連結される、請求項１２に記載の磁気共鳴イメージング・デバイス。
【請求項１６】
前記第１のＲＦおよび磁気シールディング部材は、インキュベーターを受け入れる寸法の突出部をさらに備え、前記ボアは、前記インキュベーターが前記磁気共鳴イメージング・デバイスの前記ボアに挿入されたときに前記ボアをシールするような寸法を有する、請求項１２に記載の磁気共鳴イメージング・デバイス。
【請求項１７】
前記第２のＲＦおよび磁気シールディング部材は、２つの開口部および導管をさらに備え、前記導管は、前記第２のＲＦおよび磁気シールディング部材が閉位置にあるときに、ＲＦ放射および磁界が前記ボアに出入りするのを防ぐ長さ対幅の比率を有する、請求項１２に記載の磁気共鳴イメージング・デバイス。
【請求項１８】
前記第１のＲＦおよび磁気シールディング部材と、前記第２のＲＦおよび磁気シールディング部材と、のうちの少なくとも１つは、アルミニウムから成る、請求項１２に記載の磁気共鳴イメージング・デバイス。
【請求項１９】
前記第１のＲＦおよび磁気シールディング部材と、前記第２のＲＦおよび磁気シールディング部材と、のうちの少なくとも１つは、ハニカム・チュービングを備え、前記ハニカム・チュービングのそれぞれのチューブは、それぞれのＲＦおよび磁気シールディング部材が閉位置にあるときに、ＲＦ放射および磁界が前記ボアに出入りするのを防ぐ長さ対幅の比率を有する、請求項１２に記載の磁気共鳴イメージング・デバイス。
【請求項２０】
前記第１のＲＦおよび磁気シールディング部材と、前記第２のＲＦおよび磁気シールディング部材と、のうちの少なくとも１つは、メッシュ材料を備え、前記メッシュ材料のそれぞれの開口部は、それぞれのＲＦおよび磁気シールディング部材が閉位置にあるときに、ＲＦ放射および磁界が前記ボアに出入りするのを防ぐ長さ対幅の比率を有する、請求項１２に記載の磁気共鳴イメージング・デバイス。